(57)【要約】      （修正有）【課題】強い力でマッサージできる美容器を提供すること。【解決手段】ハンドル１１の先端にマッサージ用の一対の回転体１３が設けられる。ハンドル１１はベースフレーム１４を有し、そのベースフレーム１４の外側には補強部材１９が設けられる。補強部材１９は、前記回転体１３に作用するハンドル１１の曲げ方向へのモーメントに抗する補強作用を果たし、回転体１３を身体表面部に強い力で押し当てても、ハンドル１１の破損などを適切に回避できる。【選択図】図９
2019188047.tif 000002
【特許請求の範囲】
【請求項１】
ハンドルにマッサージ用の押圧体を設けた美容器において、
前記ハンドルには、前記押圧体に作用するハンドルの曲げ方向へのモーメントに抗する補強作用を果たす補強部材を設けた美容器。
【請求項２】
前記補強部材は、前記押圧体側から押圧体の反対側に延びる請求項１に記載の美容器。
【請求項３】
前記ハンドルの先端には、二叉状をなすように一対の軸を設けるとともに、前記押圧体を構成する回転体を各軸に支持し、前記補強部材を前記両軸間の位置からハンドルの基端部側に延長した請求項２に記載の美容器。
【発明の詳細な説明】
【技術分野】
【０００１】
この発明は、回転体を身体上で転動させることにより、マッサージ効果により、使用者に対して美肌効果等の美容的作用を付与するようにした美容器に関するものである。
【背景技術】
【０００２】
従来、この種の美容器としては、例えば特許文献１に開示されるような構成が提案されている。この従来構成の美容器においては、ハンドルの先端に二叉部が設けられている。二叉部の先端には回転体が支持されている。そして、各回転体を身体の皮膚などの表面部に押し付けて回転させることにより、身体に対して美肌効果等の美容的作用が付与される。
【先行技術文献】
【特許文献】
【０００３】
【特許文献１】特開２００９−１４２５０９号公報
【発明の概要】
【発明が解決しようとする課題】
【０００４】
前記特許文献１のような美容器を用いて、身体をマッサージする場合、力を入れすぎれば、ハンドルが折れたりして破損するおそれがある。
この発明の目的は、強い力でマッサージしても、ハンドルが破損することを回避できる美容器を提供することにある。
【課題を解決するための手段】
【０００５】
上記の目的を達成するために、この発明は、ハンドルの先端にマッサージ用の押圧体を設けた美容器において、前記ハンドルには、前記押圧体に作用するハンドルの曲げ方向へのモーメントに抗する補強作用を果たす補強部材を設けたことを特徴とする。
【０００６】
前記補強部材は、前記押圧体側から押圧体の反対側に延びる構成が好ましい。
以上のように構成された美容器においては、押圧体を身体表面部に強い力で押し当てても、ハンドルの破損などを適切に回避できる。このため、強い力で有効にマッサージを行うことができる。
【発明の効果】
【０００７】
以上のように、この発明によれば、強いでマッサージしても、ハンドルが破損することを抑えることができるという効果を発揮する。
【図面の簡単な説明】
【０００８】
【図１】実施形態の美容器の斜視図。
【図２】実施形態の美容器の平面図。
【図３】実施形態の美容器の一部破断底面図。
【図４】実施形態の美容器の側面図。
【図５】実施形態の美容器の分解斜視図。
【図６】第２外部フレーム及び第２カバーの部分の分解斜視図。
【図７】回転体の部分の分解斜視図。
【図８】ベースフレームの内部構成を示す平面図。
【図９】図２の９−９線断面図。
【図１０】図９において補強部材を除去した断面図。
【図１１】図２の１１−１１線断面図。
【図１２】図２の１２−１２線断面図。
【図１３】回転体の断面図。
【図１４】回転体の平面図。
【図１５】回転体の側面図。
【発明を実施するための形態】
【０００９】
以下に、本発明を具体化した美容器の実施形態を図面に従って説明する。
図１〜図３に示すように、本実施形態の美容器は、先端（以下、この先端側を前部とする）に二叉部１０が形成されたハンドル１１を備えている。二叉部１０には外周面に複数の突起１２を有する一対のマッサージ用の回転体１３が並設され、それらの回転体１３は一軸線を中心に回転可能になっている。そして、美容器の使用者がハンドル１１を把持して、身体の皮膚，その下部組織や筋肉（以下、これらの部分を総称して身体表面部という）に対して回転体１３を適当な力で押し付けながらその回転体１３を転がすことにより、身体の各部をマッサージできる。
【００１０】
そこで、以下に、本実施形態の美容器の各部の構成を詳細に説明する。
図１及び図５に示すように、ハンドル１１は、ベースフレーム１４と、そのベースフレーム１４の外側に位置する第１外部フレーム（以下、第１フレームという）１５及び第２外部フレーム（以下、第２フレームという）１６とを備えている。このベースフレーム１４，第１フレーム１５及び第２フレーム１６により、ハンドル本体２０が構成されている。図１，図５及び図６に示すように、第１，第２フレーム１５，１６の外側には加飾部材としての第１カバー１７及び第２カバー１８が取り付けられている。ベースフレーム１４の前端側の外側面には補強部材１９が設けられている（図３，図９参照）。前記ベースフレーム１４、第１，第２フレーム１５，１６及び第１，第２カバー１７，１８は電気絶縁材である合成樹脂によって構成され、補強部材１９は金属板材によって構成されている。第１，第２フレーム１５，１６及び前記回転体１３の表面全体には金属メッキが施されている。
【００１１】
図５，図８及び図９に示すように、前記ベースフレーム１４は、一側面を開放した有底形状の断面ほぼ舟形形状をなし、開放部の周縁の溝２１にシールリング２２が嵌め込まれている。前記第１フレーム１５はベースフレーム１４の底部側に被せられており、ベースフレーム１４の後端の突起２３が第１フレーム１５の凹部２４に嵌合されている。前記第２フレーム１６はベースフレーム１４の開放部側に被せられ、その外周縁の段差２５に第１フレーム１５の突条２６が嵌合されている。その突条２６の内側に着座面が形成され、この着座面に前記シールリング２２が着座されて、第２フレーム１６とベースフレーム１４との間の水密性が確保されている。そして、ベースフレーム１４の孔を通り、第２フレーム１６のねじ込まれたタップネジ２８により、第２フレーム１６がベースフレーム１４に固定されている。
【００１２】
図５及び図１２に示すように、ベースフレーム１４の前端には円筒部２９が形成されるとともに、第１，第２フレーム１５，１６には円筒部２９の外周に被せられた半円筒部３０，３１が形成されている。そして、半円筒部３０，３１上に保持リング３２が外嵌されて、この部分においてベースフレーム１４と第１，第２フレーム１５，１６とが一体化されている。
【００１３】
図３，図９及び図１０に示すように、前記補強部材１９は、ベースフレーム１４の前端部の凹部３３内に位置するとともに、凹部５２に嵌合する位置決め突起３４によって位置決めされている。また、補強部材１９は、ベースフレーム１４にねじ込まれたタップネジ３５によって位置決め状態において固定されている。そして、補強部材１９は、前記支持軸３８間の回転体１３側の位置から回転体１３の反対側であるハンドル１１の基端部に向かって、ハンドル１１の長さ方向の中間部まで延長されている。この補強部材１９は、ハンドル１１に作用するハンドル１１の曲げ方向のモーメントに抗する補強作用を備えている。
【００１４】
図１及び図９に示すように、前記第１カバー１７及び第２カバー１８は、それぞれ第１フレーム１５及び第２フレーム１６の外側面の後端寄りに形成された凹部３６内に嵌合されている。そして、第１カバー１７及び第２カバー１８は、第１，第２フレーム１５，１６の孔を通って第１，第２カバー１７，１８の凸部にねじ込まれたタップネジ３７によって固定されている。第１，第２カバー１７，１８は、第１，第２フレーム１５，１６の外表面と連続する曲面よりなる外表面を形成するとともに、第１，第２フレーム１５，１６と異なる色，例えば木目調に形成され、ハンドル１１の加飾機能を有している。この木目調は、例えば、第１，第２カバー１７，１８を構成する合成樹脂中に木粉を混入したり、第１，第２カバー１７，１８を構成する合成樹脂の表面に木製シートを貼着したりして構成される。従って、第１，第２カバー１７，１８は、第１，第２フレーム１５，１６と材質が異なり、第１，第２フレーム１５，１６と比較して色，明度，光沢度，表面粗度が異なるとともに、比熱，硬度や摩擦係数が異なる。
【００１５】
図５，図７及び図１２に示すように、ベースフレーム１４の前記円筒部２９内には支持軸３８が挿入されている。この支持軸３８の一端面に開口するネジ孔３９には、バネ座金付きネジ４０がベースフレーム１４の内側から螺入されて支持軸３８が前方の外側へ抜けることが防止されている。また、支持軸３８のＤカット状の平面部４１が円筒部２９内の平面部（図示しない）と係合して支持軸３８の回転が阻止されている。支持軸３８の長さ方向の中間部には、その支持軸３８のベースフレーム１４側への移動を阻止するために円筒部２９の先端面と係合するフランジ４３が形成されている。支持軸３８の小径部には、支持軸３８の外周面と円筒部２９の内周面との間の水密性を保持するためのゴム製のシールリング４４が外嵌されている。
【００１６】
図７及び図１２に示すように、支持軸３８のフランジ４３の前端側にはフランジ４５を有する合成樹脂製の軸受部材４６が回転可能に外嵌されており、フランジ４５と軸受部材４６との間には摩擦係数の低い材料よりなる滑動リング４７が介在されている。この滑動リング４７は、軸受部材４６の段差面５３との間に位置し、軸受部材４６の円滑な回転を担保する。支持軸３８の先端の環状溝には軸受部材４６の抜け止めのための止めリング４８が取り付けられている。軸受部材４６の周壁には案内斜面４９と抜け止め面５０とを備えた係合爪５１が撓み変形可能に一体形成されている。
【００１７】
図７及び図１２に示すように、押圧体を構成する前記回転体１３は、開口５５を有する中空ボール形状をなし、その内部にはふたつのコア片５６，５７を結合させたコア５８が収容固定されている。一方のコア片５６の内周には環状突起５９が形成されている。そして、回転体１３を軸受部材４６上に被冠させることにより、前記案内斜面４９の作用によって係合爪５１が撓み退避した後に、環状突起５９が抜け止め面５０が係合される。これによって、回転体１３が軸受部材４６に抜け止め状態で保持リング３２の周りにおいて支持軸３８に回転可能に支持される。
【００１８】
図１３〜図１５に示すように、回転体１３は、ほぼ球形のベース部６１の外周に均等間隔をおいて複数（本実施形態では２５）の前記突起１２が一体形成されている。これらの突起１２は全体として円錐状に形成されるとともに、先端が凸曲面である球面形状に形成されている。そして、突起１２は回転体１３のほぼ中心を中心としてほぼ放射方向を指向するとともに、先端が仮想球面α上に位置している。この仮想球面αは、回転体１３の最大径の位置において支持軸３８と直交する面内に位置する円を球面の一部とし、その円と仮想球面αとは同径である。そして、仮想球面αの直径は、１５〜６０ミリメートルの範囲が体感上好ましく、３２〜５５ミリメートルの範囲がさらに好ましく、３８〜４５ミリメートルの範囲が最も好ましい。
【００１９】
回転体１３のベース部６１の基端部の外径βは前記ハンドル１１の回転体１３側の端部６２の外径と等しく形成され、ベース部６１及び端部６２の外周面がほぼ同一曲面上に位置している。
【００２０】
ここで、前記突起１２の数は、１６〜３１の範囲が体感上及び美容的効果をもたらす血行促進の面において好ましく、２０〜３０の範囲がさらに好ましく、２３〜２８の範囲が最も好ましい。また、左右の突起１２間の図２に示す最短距離δは７．５〜１０ミリメートルが体感上及び美容的効果をもたらす血行促進の面において好ましい。さらに、突起１２の先端の曲率半径は、２〜６ミリメートルが体感上及び美容的効果をもたらす血行促進の面において好ましく、２〜４ミリメートルがさらに好ましい。突起１２の先端の曲率は、突起１２の先端が半球状ではない他の曲面状の場合も含めて、体感上及び美容的効果をもたらす血行促進の面において１／２（２分の１）〜１／６が好ましく、１／２〜１／４がさらに好ましい。なお、実施形態において、突起１２の先端の曲率半径は３ミリメートル，すなわち曲率１／３である。
【００２１】
図５，図８及び図９に示すように、前記ベースフレーム１４の内部のほぼ中央部には保持台７１が形成され、その上面には機能部品としての光発電用の発電パネル７２が枠７３によって位置決めされた状態で保持されている。発電パネル７２のハンドル後端部側には、機能部品としての金属製のバランスウェイト７４がベースフレーム１４と一体のピン７５及びベースフレーム１４にねじ込まれるタップネジ７６によって固定されている。このバランスウェイト７４は、本実施形態の美容器の使用に際して、美容器全体の重量バランスを適正に維持するためのものである。
【００２２】
そして、発電パネル７２のプラスまたはマイナスの一方の出力端子が給電線（図示しない）を介して前記タップネジ７６及びバランスウェイト７４に電気接続されている。バランスウェイト７４の下面には電極７７が圧接され、この電極７７は給電路（図示しない）を介して第１フレーム１５の内面側のメッキに電気接続され、ひいてはハンドル本体２０の外表面のメッキに電気接続されている。発電パネル７２の他方の出力端子は給電線（図示しない）を介して前記バネ座金付きネジ４０に電気接続されている。そして、バネ座金付きネジ４０は給電路（図示しない）を介して回転体１３の外周面の金属メッキに電気接続されている。従って、発電パネル７２によって発電された電力は、ハンドル１１の外表面のメッキ及び回転体１３の外表面のメッキに供給される。前記電極７７及びバネ座金付きネジ４０間は絶縁材よりなるベースフレーム１４により電気絶縁されている。図１２に示すように、前記ハンドル本体２０と回転体１３との間には、隙間６４が形成され、この隙間６４により、ハンドル本体２０と回転体１３との間の電気絶縁が確保されている。
【００２３】
図１，図５及び図９に示すように、前記第２フレーム１６及び第２カバー１８には、前記発電パネル７２と対応するように透孔７８，７９が形成されている。そして、レンズユニット８０のレンズ８１がこの透孔７８，７９内に嵌合されて、ハンドル１１の外部の光を発電パネル７２の発電表面に導くようになっている。レンズユニット８０はその外周部においてタップネジ８２によって第２フレーム１６の内面に固定されている。レンズユニット８０の外周部と第２フレーム１６の透孔７８の内縁部との間にはシールリング８３が介在され、透孔７８，７９におけるレンズユニット８０と第２フレーム１６との間の水密性が保持されている。
【００２４】
図２に示すように、回転体１３を並設状態で支持するための一対の支持軸３８は末広がり状に傾斜配置され、その開き角度θ１は、本実施形態においてはほぼ７０度である。この開き角度θ１は、５０〜１１０度の範囲内が体感上及び美容的効果をもたらす血行促進の面において好ましく、５０〜９０度の範囲内がさらに好ましく、６５〜８０度の範囲内が最も好ましい。図４に示すように、美容器の側面視において、前記支持軸３８は、ハンドル１１に対して傾斜（前傾）している。
【００２５】
前記回転体１３は、その成形後の型割り（型離間れ）時に、突起１２の部分においてアンダーカットが形成されることなく、型離れが円滑に行われるように、突起１２の形状が設定されている。すなわち、突起１２は、成形型の複数の分割型（図示しない）間のパーティングラインεに面する側の周面が、突起１２の先端側ほどパーティングラインεから離間する形状になっている。なお、回転体１３は成形後にバフによって研磨されるため、パーティングラインεは、消えるか、目立たなくされる。
【００２６】
次に、以上のように構成された本実施形態の美容器の作用を説明する。
この美容器を使用する場合は、使用者はハンドル１１を把持して、回転体１３を顔等の身体表面部にあてて、その回転体１３を適当な力を加えながら身体表面部上を転がせばよい。このようにすれば、回転する回転体１３の突起１２によって身体表面部である皮膚，その下部組織及び筋肉などがマッサージされて、その身体表面部の血行が良くなったり、毛穴が開いたりして、美容的効果を得ることができる。また、このとき、発電パネル７２で発電された電力がハンドル本体２０及び回転体１３の金属メッキを有する表面に供給される。このため、手によって把持されるハンドル１１と、身体表面部に押し当てられた回転体１３との間に回転体１３によりマッサージされる身体表面部を含む身体を介在させた電路が形成され、身体表面部を含む身体に微弱電流が流れて、美容的効果が高められる。
【００２７】
本実施形態においては、回転体１３がボール形状のシルエットを有するとともに、回転体１３の支持軸３８が前傾角度を有している。このため、回転体１３を身体表面部上で移動させると、両回転体１３の回転によって、図１１に示すように、身体表面部１００が押圧されながらつまみ上げられる。このため、高い美容的効果を得ることができる。
【００２８】
従って、本実施形態においては、前記のように身体表面部１００がつまみ上げられることと、突起１２によって断続的に強く押圧されることとの相乗効果により、さらに高い美容的効果を得ることができる。
【００２９】
そして、この美容器においては、シールリング２２，４４，８３がハンドル１１のベースフレーム１４内への水の侵入を防止するため、この美容器を浴室内において、たとえ浴槽内であっても支障なく使用できる。
【００３０】
本実施形態によれば、以下の効果がある。
（１）美容器の使用者の身体表面部が回転体１３によって押圧されると同時につまみ上げられるため、高い美容的効果を得ることができる。
【００３１】
（２）この場合、回転体１３の回転により、身体表面部が突起１２によって断続的に強く押圧されて、さらに高い美容的効果を得ることができる。しかも、突起１２は先端がボール状をなしているため、身体表面部に対して適度な刺激はあるものの、痛みは抑えられる。
【００３２】
（３）前記ハンドル１１のベースフレーム１４の外周縁と第２フレーム１６の開口内周縁との間、ベースフレーム１４の円筒部２９と支持軸３８との間及びレンズユニット８０と透孔７８の内縁部との間にそれぞれシールリング２２，４４，８３が介装されている。このため、ベースフレーム１４内に水が侵入するおそれを防止することができて、ベースフレーム１４に発電パネル７２等の電装品を収容した構成であっても、水によってそれらの機能が阻害されることを防止することができる。
【００３３】
（４）ベースフレーム１４が舟形形状をなして、そのベースフレーム１４の壁部が湾曲しているため、ベースフレーム１４そのものの強度を向上させることができ、ひいては、ハンドル１１の強度を向上させることができる。
【００３４】
（５）前記のように、ベースフレーム１４が舟形形状をなしているため、その内部空間を利用して、発電パネル７２やバランスウェイト７４などの機能部品を整列状態で納まりよく配置でき、その機能部品の組付けが容易になる。
【００３５】
（６）ベースフレーム１４の先端部に、ハンドル１１の曲げ方向のモーメントに抗する補強部材１９が設けられているため、回転体１３を身体表面部に強く押し当てても、ハンドル１１の変形が抑えられる。このため、ハンドル１１が破損したり、ハンドル本体２０の第１，第２フレーム１５，１６間が開いたりすることを抑えることができる。従って、回転体１３を身体表面部に強く押し当てることができるため、高いマッサージ効果を得ることができる。
【００３６】
（７）補強部材１９の前端部が支持軸３８の基端部の部分に位置しているため、支持軸３８の基端部に作用する同軸３８の軸方向と交差する方向の力、すなわち、支持軸３８を引き起こしてベースフレーム１４の円筒部２９の部分を破損させる方向の力に抗することができ、円筒部２９などの破損を有効に回避できる。
【００３７】
（８）前記補強部材１９を第１，第２フレーム１５，１６で覆われるベースフレーム１４に設けたことにより、補強部材１９を隠蔽することができて、ハンドル１１の外観を良好に維持できる。
【００３８】
（９）ベースフレーム１４の内部に発電パネル７２などの機能部品を設けるとともに、ベースフレーム１４の外側に補強部材１９を設けたことにより、補強部材１９によってベースフレーム１４の内部容積が狭くなることを回避できる。よって、ベースフレーム１４内のスペースを有効に利用できて、機能部品の組み付けが容易になる。
【００３９】
（１０）補強部材１９をベースフレーム１４の外側面の凹部３３に嵌合したことにより、補強部材１９の移動を規制して、補強部材１９を定位置に保持できる。従って、補強部材１９の組付けが容易になるとともに、組付け状態の補強部材１９の移動を阻止できて、補強機能を発揮できる。また、補強部材１９のベースフレーム１４の外表面からの突出を抑えることができて、ハンドル１１の小形化及びデザインの融通性に寄与できる。
【００４０】
（１１）ハンドル１１が側面視において前傾形状に形成されているため、ハンドル１１を身体表面部に沿わせた使いやすい姿勢で使用することができ、有効なマッサージ機能を得ることができる。
【００４１】
（１２）ハンドル１１に加飾部材としての第１，第２カバー１７，１８が設けられているため、加飾効果などの各種の効果を得ることができる。すなわち、第１，第２カバー１７，１８がハンドル本体２０と色，光沢度，面粗度，模様などの外観が異なっていれば、第１，第２カバー１７，１８によってハンドル１１、ひいては美容器全体のデザイン性を向上できる。
【００４２】
また、第１，第２カバー１７，１８が木製のものであったり、木粉を混入したものであったりすれば、第１，第２カバー１７，１８の比熱が高くなり、ハンドル１１を把持したときに、暖かみを感じることができて、マッサージ操作にともなう快適性を向上できる。さらに、第１，第２カバー１７，１８が前記のように木製や、木粉を混入したものであれば、第１，第２カバー１７，１８はハンドル本体２０より摩擦係数が高くなって滑りにくく、マッサージにおいて操作しやすいものとなる。
【００４３】
第１，第２カバー１７，１８がゴム材や軟質ウレタン材などのハンドル本体２０より柔らかいものであれば、ハンドル１１が手に馴染みやすく、前記と同様にマッサージにおいて操作しやすいものとなる。
【００４４】
第１，第２カバー１７，１８が金属のように高剛性のものであれば、ハンドル本体２０の強度を向上できる。そして、このように、第１，第２カバー１７，１８として高剛性のものを用いれば、第１，第２カバー１７，１８と補強部材１９との相乗効果により、ハンドル１１全体をより高強度にすることができる。
【００４５】
（１３）図１３〜図１５に示すように、回転体１３の突起１２の部分においてアンダーカットが形成されないようにしている。従って、これらの突起１２を含む回転体１３の外周面を無理なく精密に整形できる。
【００４６】
（変更例）
本発明は、前記実施形態に限定されるものではなく、次のように変更して具体化することも可能である。
【００４７】
・回転体１３として、突起１２を有しない球状のものに変更したり、円筒形状のものに変更したりすること。円筒状の回転体とすることにより、体感や美容効果を変化させることができる。
【００４８】
・回転体１３の突起１２の数などを変更すること。
・補強部材１９をベースフレーム１４の底面全体に設けること。このように構成すれば、補強部材１９はベースフレーム１４の全体強度を向上させることができる。
【００４９】
・補強部材１９を第１フレーム１５及び第２フレーム１６の少なくとも一方の内側面または外側面に設けること。補強部材１９を第１フレーム１５または第２フレーム１６の外側面に設けた場合は、補強部材１９が加飾部材を兼ねるようにしてもよい。
【００５０】
・ハンドル本体２０や、第１，第２カバー１７，１８に、滑り止めのための手指の曲面に沿う形状の凹凸を設けたり、ローレットを刻設したりすること。
【符号の説明】
【００５１】
１１…ハンドル、１２…突起、１３…回転体、１４…ベースフレーム、１５…第１フレーム、１６…第２フレーム、１９…補強部材、３８…支持軸。
【図１】
2019188047.tif 000003
【図２】
2019188047.tif 000004
【図３】
2019188047.tif 000005
【図４】
2019188047.tif 000006
【図５】
2019188047.tif 000007
【図６】
2019188047.tif 000008
【図７】
2019188047.tif 000009
【図８】
2019188047.tif 000010
【図９】
2019188047.tif 000011
【図１０】
2019188047.tif 000012
【図１１】
2019188047.tif 000013
【図１２】
2019188047.tif 000014
【図１３】
2019188047.tif 000015
【図１４】
2019188047.tif 000016
【図１５】
2019188047.tif 000017